(57)【要約】      （修正有）【課題】門扉、手摺、テラス、又は各種柵の模様を、施工後に各人の好みに合わせて自由な変更（組換え自在）ができる建築素材の構造を提供する。【解決手段】外郭を構成する枠体１と、枠体１に取付けられる模様を表現した装飾材２とでなる建築素材の構造であって、枠体１の周辺には、係止孔、係止溝、又は係止突起の何れかでなる係止体を設け、また、装飾体２の自由端には、一つ以上の係止杆、係止環、係止フック、又は差込み杆、差込み環、差込みフックの何れかでなる差込み体を設け、枠体１の係止体に、装飾体２の差込み体を、差込み支持することで、枠体１に、装飾体２を、支持自在、又は取外し自在とし、建築資材の模様、形態を組換え可能とする構成とした。【選択図】図１−１
2016035141.tif 000002
【特許請求の範囲】
【請求項１】
門扉、手摺、テラス、又は各種柵の外郭を構成する枠体と、この枠体に取付けられる模様を表現した装飾材とでなる建築素材であって、
この枠体の周辺には、係止孔、係止溝、又は係止突起の何れかでなる係止体を設け、また、この装飾体の自由端には、一つ以上の係止杆、係止環、係止フック、又は差込み杆、差込み環、差込みフックの何れかでなる差込み体を設け、
当該枠体の係止体に、当該装飾体の差込み体を、差込み支持することで、この枠体に、この装飾体を、支持自在、又は取外し自在とし、前記建築資材の模様、形態を組換え可能とする構成とした建築素材の構造。
【請求項２】
前記組換え可能な構成は、前記枠体の係止体と、前記装飾体の差込み体を利用するとともに、この枠体、及び／又は、この装飾体が、長短可能とする構成とした請求項１に記載の建築素材の構造。
【請求項３】
前記枠体、及び／又は、前記装飾体を、樹脂素材で形成するとともに、この樹脂素材は、廃棄物を使用する構成とした請求項１に記載の建築素材の構造。
【請求項４】
前記枠体、及び／又は、前記装飾体を、線材で形成するとともに、この線材は、廃棄物を使用する構成とした請求項１に記載の建築素材の構造。
【請求項５】
前記枠体、及び／又は、前記装飾体の長さは、連結具を利用して、長短可能とする構成とした請求項１に記載の建築素材の構造。
【請求項６】
前記枠体に、前記装飾体を支持する構成は、螺着構造により達成可能とする構成とした請求項１に記載の建築素材の構造。
【請求項７】
前記枠体に、前記装飾体を支持する構成は、この枠体を管体として、管体に設けた切欠き溝と、この切欠き溝に差込まれる装飾体より延設した支持杆、及び／又は、この支持杆の端に設けた係止球と、当該支持杆、及び／又は、この係止球との間に設けた間隔支持用のスペーサとでなる構成とした請求項１に記載の建築素材の構造。
【発明の詳細な説明】
【技術分野】
【０００１】
本発明は、主として、廃棄樹脂、又は廃棄線材等を有効利用した建築素材（以下、一例として、門扉、又は手摺で説明する）の構造に関する。
【背景技術】
【０００２】
従来の門扉、手摺では、アルミ押出成形による大量生産方式とか、鋼材、又は線材を溶接、又は止め螺子等の支持手段で、組付け一体化する方式である。従って、オーダーメイド方式（オーダーメイド模様）を希望する消費者の希望を満足できないこと、又はオリジナル（独創性）に欠けること等の問題を抱えている。
【０００３】
そこで、先行文献を挙げて、前記問題を解決できるか、検討する。例えば、特開２００２−０８１２８３号公報において開示されている。この発明は、アルミ板を鍛造加工し枠体（仕切基体）に、アルミ装飾体を、バンドで、組立、一体化する構造である。従来の画一化された形態に変化を与え、かつ軽量化を図ることを意図する。また、特開２００７−１００４１３号公報において開示されている。この発明は、縦横装飾格子材と、付加縦横装飾格子材とを組合せて、格子パネルを形成し、この格子パネルを、アンカーボルトを介して、地中、又は基礎構造体に立設する構造である。これにより、施工後の自由な変更（組換え自在）と、各人の好みに合った、格子パネルを提供する。
【０００４】
文献（１）、（２）においては、オーダーメイド方式での設置が可能であり、かつ独創性を、発揮できる構造と思われる。しかし、組付けが面倒であり、専門職でないと施工できないこと、殊に、各人の好みで、組換えできる門扉、手摺とは云えないと思われる。また、廃棄樹脂、廃棄線材等の廃棄物を有効利用し、資材活用と低コスト化等を図るには、改良点がある。さらに、門扉、手摺、テラス、又は各種柵の模様を、共通の手法で、組換えでき構造でなく、かつ共通の手法での組換えでないことから、前述の如く、各人の好みで、組換えできる門扉、手摺とは云えないと思われる。
【０００５】
【特許文献１】特開２００２−０８１２８３号公報
【特許文献２】特開２００７−１００４１３号公報
【発明の概要】
【発明が解決しようとする課題】
【０００６】
上記に鑑み、本発明は、オーダーメイド方式での設置が可能で、かつ独創性を、発揮できる構造であって、しかも組付けが簡易、かつ時間を要さないことから、専門職でなくとも、各人の好みで、組換えできる門扉、手摺等の提供と、また、廃棄樹脂、廃棄線材等の廃棄物を有効利用し、資材活用と低コスト化等が図れる門扉、手摺等の提供と、さらに、門扉、手摺、テラス、又は各種柵の模様を、共通の手法で、組換えでき構造であり、かつ共通の手法での組換えであることから、前述の如く、各人の好みで、組換えできる門扉、手摺等の提供と、を意図する。
【課題を解決するための手段】
【０００７】
上記課題を解決するために、順次説明する、請求項１〜請求項７を提供する。
【発明の効果】
【０００８】
請求項１の発明は、門扉、手摺、テラス、又は各種柵の外郭を構成する枠体と、枠体に取付けられる模様を表現した装飾材とでなる建築素材であって、
枠体の周辺には、係止孔、係止溝、又は係止突起の何れかでなる係止体を設け、また、装飾体の自由端には、一つ以上の係止杆、係止環、係止フック、又は差込み杆、差込み環、差込みフックの何れかでなる差込み体を設け、
枠体の係止体に、装飾体の差込み体を、差込み支持することで、枠体に、装飾体を、支持自在、又は取外し自在とし、建築資材の模様、形態を組換え可能とする建築素材の構造であり、オーダーメイド方式での設置が可能で、かつ独創性を発揮できる構造であって、しかも組付けが簡易、かつ時間を要さないことから、専門職でなくとも、各人の好みで、組換えできる門扉、手摺等の提供と、また、門扉、手摺、テラス、又は各種柵の模様を、共通の手法により、組換えできる構造であり、かつ共通の手法での組換えであることから、前述の如く、各人の好みで、組換えできる門扉、手摺等の提供と、が図れる実益がある。
【０００９】
請求項２の発明は、組換え可能な構成は、枠体の係止体と、装飾体の差込み体を利用するとともに、枠体、及び／又は、装飾体が、長短可能とする構成とした建築素材の構造であり、請求項１の意図を達成できること、又はそのために有益な組換え可能な構成を提供できる実益がある。
【００１０】
請求項３の発明は、枠体、及び／又は、装飾体を、樹脂素材で形成するとともに、この樹脂素材は、廃棄物を使用する構成とした建築素材の構造であり、請求項１の意図を達成できること、また、廃棄樹脂等の廃棄物を有効利用し、資材活用と低コスト化等が図れる門扉、手摺等の提供ができる実益がある。
【００１１】
請求項４の発明は、枠体、及び／又は、装飾体を、線材で形成するとともに、この線材は、廃棄物を使用する構成とした建築素材の構造であり、請求項１の意図を達成できること、また、廃棄線材等の廃棄物を有効利用し、資材活用と低コスト化等が図れる門扉、手摺等の提供ができる実益がある。
【００１２】
請求項５の発明は、枠体、及び／又は、装飾体の長さは、連結具を利用して、長短可能とする構成とした建築素材の構造であり、請求項１の意図を達成できること、又はそのために有益な、枠体、及び／又は、装飾体の構造を提供できる実益がある。
【００１３】
請求項６の発明は、枠体に、装飾体を支持する構成は、螺着構造により達成可能とする構成とした建築素材の構造であり、請求項１の意図を達成できること、又はそのために有益な、枠体、及び／又は、装飾体の組付け構造を提供できる実益がある。
【００１４】
請求項７の発明は、枠体に、装飾体を支持する構成は、枠体を管体として、管体に設けた切欠き溝と、切欠き溝に差込まれる装飾体より延設した支持杆、及び／又は、支持杆の端に設けた係止球と、支持杆、及び／又は、係止球との間に設けた間隔支持用のスペーサとでなる構成とした建築素材の構造であり、請求項１の意図を達成できること、又はそのために有益な、枠体、及び／又は、装飾体の最適な構造を提供できる実益がある。
【図面の簡単な説明】
【００１５】
【図１−１】本発明を門扉に採用した一例の正面模式図
【図１−２】図１−１の要部の拡大模式図
【図２−１】本発明を手摺に採用した一例の正面模式図
【図２−２】図２−１の要部の拡大模式図
【図２−３】図２−１の他の要部の拡大模式図
【図３−１】本発明を手摺に採用した他の一例の正面模式図
【図３−２】図３−１の要部の拡大模式図
【図３−３】図３−２の別の一例を示した模式図
【図４】本発明を手摺に採用した別の一例の正面模式図
【図５】本発明を手摺に採用したさらに別の一例の正面模式図
【図６−１】本発明の枠体と装飾体との支持構造の一例を示した拡大斜視図
【図６−２】図６−１の断面図
【図７−１】本発明の枠体と装飾体との支持構造の他の一例を示した拡大斜視図
【図７−２】図７−１の断面図
【図７−２−１】図７−１の枠体の横断面
【図７−２−２】図７−１のスペーサを示した斜視図
【図７−３】図７−１の枠体の底面より見た俯瞰図
【図８−１】枠体と装飾体との他の取付け方法を示した正面模式図
【図８−２】図８−１の取付け完了を示した正面模式図
【図９】線材（廃棄線材）を加工するワイヤオートベンダの一例を示した模式図
【図１０】樹脂（廃棄樹脂）を加工する溶融装置の一例を示した模式図
【発明を実施するための形態】
【００１６】
実施例では、代表例として、図１−１と図１−２とにおいて、門扉Ａを示し、図２−１〜図５において、手摺Ｂを示してある。共通の構造を説明する。
【００１７】
１、１等は枠体であり、門扉Ａとか、手摺Ｂの如く、それぞれの工作物（建築物の一部として）に装備される（構造物の一部か、構造物本体等に立設、或いは、構造物に設置、組付け等して設けられる）。
【００１８】
この枠体１、１（対の構造は、符号を一つとする）は、樹脂素材、線材とか、廃棄樹脂素材、廃棄線材とかを利用する。この廃棄樹脂、廃棄線材を利用する場合には、廃棄線材は、残りの線材を使用し、図９に示したワイヤオートベンダ（ワイヤベンダ、その他の冶具「図示せず」）を使用する。このワイヤオートベンダ等は、新規線材加工にも使用可能である。また、図１０に示した溶融装置を利用して、樹脂粒子（ペレット）を成形する。
【００１９】
枠体１には、後述する装飾体２を取付けるための手段３（係止体と差込み体）が装備されている。この手段３は、図６−１、又は図６−２に示した、装飾体２の枝部２００に設けた対の螺子３００（差込み体の一例）を、枠体１の対峙面１ａに穿設、又は内設した対の螺管３０１（係止体の一例）に、同時、又は交互に螺着することで取付ける方法がある。また、図７−１〜図７−３に示した、枠体１を管体とし、この管体の対峙面１ａに切り溝３０２（係止体の一例）を穿設し、この切り溝３０２に枝部２００（差込み体を構成する一例）を貫設するとともに、その先端に設けた球体３０３（差込み体を構成する一例）を管体の内筒３０４（係止体を構成する一例）に嵌入支持する構造であり、装飾体２を取付ける間隔、又は球体３０３間の間隔維持を、差込み体で確保する。例えば、図７−３に示した、大中小のスペーサ３０５を使用する。大中小のスペーサ３０５を利用して、装飾体２を所定の位置に固定する。スペーサ３０５は、可撓性素材、スプリング材、風船等の膨出体等も可能である。これにより、装飾体２の大中小とか、模様の大中小とか、装飾体２間の間隔、及び／又は、空間との調和、又は風防、品物の落下防止と、人、動物等の安全性の確保等を図る。尚、図示しないが、スペーサ３０５を弾性体で形成することで、装飾体２に弾性を付与し、安全性と、変化を楽しむことも可能である。図７−２−２は、切り溝３０２に孔部３０２ａを設け、球体３０３の挿入と脱抜とを図り、利便性を確保する。切り溝３０２は、球体３０３より狭い構造である。
【００２０】
装飾体２は、各種の模様を備えた装飾部２０１と、縁起を連想する数字（２、３）を備えた装飾部２０１の如く、看者の好みを満喫できる。また、図３−３の如く、手段３の他の例であり、装飾体２の枝部２００を無くし、同じ機能を装飾部２０１の一部２０１ａ（装飾一部２０１ａ）で代替する構造であり、装飾体２の全体を装飾部２０１とする構造である。この例では、枝部２０が無いので、装飾性のアッピールと、商品価値の向上、又は製作の容易性等に役立つと考えられる。
【００２１】
図１−１は、柱（構造物）６に門扉Ａを設置した状態であり、図２−１〜図７−３においては、手摺Ｂを想定した実施例であって、それぞれの使用態様を示す。そして、前記図７−１〜図７−３に示した実施例では、例えば、手摺Ｂでは、自由に組付けができることと、組付け変更の自由度確保と、装飾性の自由度確保等の如く、その望みと、雰囲気の変更等の如く、多様性が図れる。図７−１〜図７−３に示した実施例では、門扉Ａにおいても同様である。
【００２２】
枠体１に装飾体２を組付け（差込み支持）を説明する。図６−１、図６−２の一例では、柱６に開閉自在に枢着した枠体１の係止体の螺管３００に、その開口側から、装飾体２の差込み体の螺子３００を螺着することで、組付けられる。誰でも、簡易かつ速やかに組付け可能（組換え可能）なことが特徴である。また取外しは、組付けの逆の操作で、簡易かつ速やかに行える。次に、図７−１〜図７−３の一例では、階段の手摺Ｂ、ベランダの手摺Ｂ、テラスの手摺Ｂ、或いはホールの手摺Ｂ等の枠組となる枠体１の係止体を構成する切り溝３０２、又は孔部３０２ａ（スリット、多面形孔等の差込み孔）に、その開口側（図示しない）から、装飾体２の差込み体を構成する、適宜の部材、例えば、枝部２００と、球体３０３（扁平板、楕円体等の大径部）、並びにスペーサ３０５を、内筒３０４に差入れることで、組付けられる。誰でも、簡易かつ速やかに組付け可能なことが特徴である。また取外しは、組付けの逆の操作で、簡易かつ速やかに行える。また、枝部２００にリングを設け、このリングを、枠体１の外側に取付けること、及び／又は、スペーサ３０５を、利用して、装飾体２の支持と間隔調整を図ることもできる。さらに、枠体１への装飾体２の取付け、取外し（支持、組付け）は、溶接、又は接着と、離脱等もできる。また、図７−３の如く、孔部３０２ａより球体３０３を差入れ、その後、内筒３０４、及び、切り溝３０２に沿って移動し、適宜、位置で止める。この止め位置は、スペーサ３０５の長さを調整し、固定することにより、枠体１に装飾体２を、素早く、かつ短時間で取付け可能であり重宝する。また、スペーサ３０５を螺子止め、嵌合、又は溶接等の方法で、固定することも有効である。
【００２３】
この係止体と差込み体との取付け、取外し構造は、図示しないが、溶接、嵌着、嵌合、カシメ、差込み、又は接着、被嵌等の手段３の例もあり得る。
【００２４】
また、図８−１と、図８−２に示した枠体１と装飾体２との取付け方法は、少なくとも、装飾体２を可撓性素材で構成し、図８−１の如く、撓ませて、枠体１内に差入れた後、開放して、例えば、孔部３０２ａ（図７−２−２より小径とするのが好ましい）、図示しない、枠体１等の管体に枝部２００を差入れるとともに、枝部２００の補助片２００ａを、枠体１の一面に添接する構造とする。この構造では、自由に変更でき重宝すること、簡便な取付けができる実益がある。装飾体２は弾性を備えており、怪我防止、装飾体２、枠体１等の損傷回避等に役立つものと考えられる。尚、図８−２は、取付け完了を示した正面模式図である。
【００２５】
図中５は連結具であり、図５と図３−１の如く、枠体１、及び／又は、枝部２００（装飾部２０１「図示しない」）等に設けて、枠体１、及び／又は、枝部２００（装飾体２）の長さを、長短可能とする。門扉Ａとか、手摺Ｂ等の寸法を変更可能とする。また、連結杆５００を使用することが望ましい。
【００２６】
枠体１、及び／又は、装飾体２の製造は、図９と図１０に示した装置の他に、その他の加工機、手作業、金型・板金・ワイヤーカット等の冶具を使用し、製造加工すること可能である。
【００２７】
そして、図示しないが、遊戯具のダーツの的を同様にして製造し、門扉Ａとか、手摺Ｂに組み込むことも、又は全体を構成することも可能であり、かつ有益である。また、組付け（組換え）作業による楽しみと、教習に役立つものである。
【００２８】
図中７は門扉Ａの鍵である。
【００２９】
本発明は、本発明の広義の精神と範囲を逸脱することなく、様々な実施形態及び変形が
可能とされるものである。上述した実施形態は、本発明を説明するためのものであり、本
発明の範囲を限定するものではない。
【符号の説明】
【００３０】
１  枠体
１ａ  対峙面
２  装飾体
２００  枝部
２００ａ  補助片
２０１  装飾部
２０１ａ  装飾一部
３  手段
３００  螺子
３０１  螺管
３０２  切り溝
３０２ａ  孔部
３０３  球体
３０４  内筒
３０５  スペーサ
５  連結具
５００  連結杆
６  柱
７  鍵
Ａ  門扉
Ｂ  手摺
【図１−１】
2016035141.tif 000003
【図１−２】
2016035141.tif 000004
【図２−１】
2016035141.tif 000005
【図２−２】
2016035141.tif 000006
【図２−３】
2016035141.tif 000007
【図３−１】
2016035141.tif 000008
【図３−２】
2016035141.tif 000009
【図３−３】
2016035141.tif 000010
【図４】
2016035141.tif 000011
【図５】
2016035141.tif 000012
【図６−１】
2016035141.tif 000013
【図６−２】
2016035141.tif 000014
【図７−１】
2016035141.tif 000015
【図７−２】
2016035141.tif 000016
【図７−２−１】
2016035141.tif 000017
【図７−２−２】
2016035141.tif 000018
【図７−３】
2016035141.tif 000019
【図８−１】
2016035141.tif 000020
【図８−２】
2016035141.tif 000021
【図９】
2016035141.tif 000022
【図１０】
2016035141.tif 000023